(57)【要約】【課題】回路基板の表面を横切るケーブルの中間部を回路基板に固定するに際し、ケーブルの形式を問うことなく固定作業を容易に行える仕組みを提供する。【解決手段】回路基板１の表面を横切る形でフラットケーブル２０が配置され、回路基板１にはケーブル結束構造１０が設けられる。ケーブル結束構造１０の主たる要素は、回路基板１の一部に設けた割基板構造の可分離部１２と、可分離部１２と残余の基板本体とを接続するジャンパー線１１である。回路基板１から可分離部１２を分離して一端がフリーになったジャンパー線１１でフラットケーブル２０を巻き、結束する。ジャンパー線１１は２本平行に配置される。可分離部１２の縁には、ジャンパー線１１を係合させるノッチ１６が所定間隔を置いて２個形成され、ノッチ１６が存在しない側の縁は凸形状になっている。【選択図】図１
2008071849.tif 000002
【特許請求の範囲】
【請求項１】
電子機器の筐体内部に固定される回路基板であって、その表面を横切る形でケーブルが配置されるものにおいて、
基板の一部を割基板構造により可分離部とし、この可分離部と残余の基板本体とをジャンパー線で接続し、分離後の前記可分離部とこれを前記基板本体に連結する前記ジャンパー線で前記ケーブルを結束するとともに、
前記ジャンパー線は２本平行に配置され、前記可分離部の縁には、前記ジャンパー線を係合させるノッチが所定間隔を置いて２個形成され、前記可分離部の前記ノッチが存在しない側の縁は凸形状になっていることを特徴とする電子機器用回路基板。
【請求項２】
電子機器の筐体内部に固定される回路基板であって、その表面を横切る形でケーブルを配置したものにおいて、
基板の一部を割基板構造により可分離部とし、この可分離部と残余の基板本体とをジャンパー線で接続し、分離後の前記可分離部とこれを前記基板本体に連結する前記ジャンパー線で前記ケーブルを結束したことを特徴とする電子機器用回路基板。
【請求項３】
前記可分離部には、前記ジャンパー線を係合させるノッチが形成されていることを特徴とする請求項２に記載の電子機器用回路基板。
【請求項４】
前記ジャンパー線は２本平行に配置され、前記ノッチは前記可分離部の縁に所定間隔を置いて２個形成されていることを特徴とする請求項３に記載の電子機器用回路基板。
【請求項５】
前記可分離部の、前記ノッチが存在しない側の縁が凸形状になっていることを特徴とする請求項４に記載の電子機器用回路基板。
【発明の詳細な説明】
【技術分野】
【０００１】
本発明は、テレビジョン受像機等の電子機器で使用される回路基板に関する。
【背景技術】
【０００２】
テレビジョン受像機をはじめとする電子機器の筐体の内部には、その電子機器の機能を実現するのに必要な回路基板が配備される。回路基板には印刷配線が施されるが、それだけで全配線を賄うのは、よほど小型の電子機器でもない限り困難である。テレビジョン受像機のような大型の電子機器では、回路基板の表面を別体のケーブルが横切っている構成がしばしば見受けられる。
【０００３】
回路基板の表面を横切る形でケーブルを配置する場合、ケーブルの中間部をフリーにしておくと、電子機器が受ける振動でケーブルが振れた場合、ケーブルの被覆が何かにこすれて傷ついたり、発熱部品に接触して被覆が溶けたり、あるいはケーブルがコネクタ部分から外れてしまうなど、様々な不都合が生じる。従ってケーブルの中間部は回路基板に固定しておかねばならない。そのようなケーブル固定構造の一例を特許文献１に見ることができる。
【０００４】
特許文献１に記載された構造では、ケーブルを処理するのにジャンパー線を用いる。ジャンパー線は、主配線基板との間にフレキシブルフラットケーブルを挿通させる相互間隙間を有する主線材、及び、前記相互間隙間を形成する補助線材として用いられている。
【特許文献１】特開２００６−１４７９５８号公報（[００２４]−[００２６]、図１−４）
【発明の開示】
【発明が解決しようとする課題】
【０００５】
特許文献１記載の構成では、主配線基板と主線材の相互間隙間にケーブルを通すのであるが、その相互間隙間がジャンパー線である補助線材の太さしかない。フレキシブルフラットケーブルをきっちりと固定することはできるが、その反面、フレキシブルフラットケーブルの端のコネクタプラグを相互間隙間に通すのは困難である。またケーブルがフラットケーブルでなく撚り線形式で厚みのあるものであったりしたときにも、挿通に苦労することになる。
【０００６】
本発明は上記の点に鑑みなされたものであり、回路基板の表面を横切るケーブルの中間部を回路基板に固定するに際し、ケーブルの形式を問うことなく固定作業を容易に行える仕組みを提供することを目的とする。
【課題を解決するための手段】
【０００７】
上記目的を達成するために、請求項１の発明は、電子機器の筐体内部に固定される回路基板であって、その表面を横切る形でケーブルが配置されるものにおいて、基板の一部を割基板構造により可分離部とし、この可分離部と残余の基板本体とをジャンパー線で接続し、分離後の前記可分離部とこれを前記基板本体に連結する前記ジャンパー線で前記ケーブルを結束するとともに、前記ジャンパー線は２本平行に配置され、前記可分離部の縁には、前記ジャンパー線を係合させるノッチが所定間隔を置いて２個形成され、前記可分離部の前記ノッチが存在しない側の縁は凸形状になっていることを特徴としている。
【０００８】
この構成によると、基板の一部に割基板構造で形成した可分離部に接続した側のジャンパー線の端がフリーになるので、ケーブルの形式や、ケーブルの端にコネクタプラグが接続されているかどうかといったことに関係なく、自由にジャンパー線でケーブルを巻いて固定することができる。そして可分離部を２本のジャンパー線の間に挿通させ、その上で可分離部のノッチにジャンパー線を係合させることにより、可分離部がジャンパー線から外れないようにすることができる。また、可分離部を２本のジャンパー線の間に挿通させるとき、凸形状がジャンパー線を両側に押し分けるので、挿通がスムーズである。
【０００９】
請求項２の発明は、電子機器の筐体内部に固定される回路基板であって、その表面を横切る形でケーブルを配置したものにおいて、基板の一部を割基板構造により可分離部とし、この可分離部と残余の基板本体とをジャンパー線で接続し、分離後の前記可分離部とこれを前記基板本体に連結する前記ジャンパー線で前記ケーブルを結束したことを特徴としている。
【００１０】
この構成によると、基板の一部に割基板構造で形成した可分離部に接続した側のジャンパー線の端がフリーになるので、ケーブルの形式や、ケーブルの端にコネクタプラグが接続されているかどうかといったことに関係なく、自由にジャンパー線でケーブルを巻いて固定することができる。
【００１１】
請求項３の発明は、請求項２に記載の電子機器用回路基板において、前記可分離部には、前記ジャンパー線を係合させるノッチが形成されていることを特徴としている。
【００１２】
この構成によると、可分離部のノッチにジャンパー線を係合させることにより、ジャンパー線の形成するループがほどけないようにすることができる。
【００１３】
請求項４の発明は、請求項３に記載の電子機器用回路基板において、前記ジャンパー線は２本平行に配置され、前記ノッチは前記可分離部の縁に所定間隔を置いて２個形成されていることを特徴としている。
【００１４】
この構成によると、可分離部を２本のジャンパー線の間に挿通させ、その上でノッチにジャンパー線を係合させることにより、可分離部がジャンパー線から外れないようにすることができる。
【００１５】
請求項５の発明は、請求項４に記載の電子機器用回路基板において、前記可分離部の、前記ノッチが存在しない側の縁が凸形状になっていることを特徴としている。
【００１６】
この構成によると、可分離部を２本のジャンパー線の間に挿通させるとき、凸形状がジャンパー線を両側に押し分けるので、挿通がスムーズである。
【発明の効果】
【００１７】
以上のように本発明の電子機器用回路基板は、基板の一部に割基板構造で形成した可分離部に接続した側のジャンパー線の端がフリーになるので、ケーブルの形式や、ケーブルの端にコネクタプラグが接続されているかどうかといったことに関係なく、自由にジャンパー線でケーブルを巻いて固定することができる。そして可分離部を２本のジャンパー線の間に挿通させ、その上で可分離部のノッチにジャンパー線を係合させれば、可分離部がジャンパー線から外れることがない。また可分離部に形成した凸形状は、可分離部を２本のジャンパー線の間に挿通させるとき、ジャンパー線を両側に押し分けることになり、挿通をスムーズに行える。
【発明を実施するための最良の形態】
【００１８】
以下、添付図面を参照しつつ本発明の実施形態を説明する。図１は回路基板の平面図、図２は回路基板の断面図、図３は回路基板の部分拡大平面図、図４はケーブル結束途中の回路基板の平面図、図５は図４に対応する回路基板の断面図、図６はケーブル結束作業がさらに進んだ状態の回路基板の平面図、図７は図６に対応する回路基板の断面図、図８はケーブル結束作業がさらに進んだ状態の回路基板の平面図、図９は図８に対応する回路基板の断面図である。
【００１９】
図１、４、６、８において、回路基板１は上下２箇所に中間省略部を有する形で図示されている。回路基板１の両端には、後述するフラットケーブルのコネクタプラグを接続するコネクタソケット２が取り付けられている。コネクタソケット２、２の間にケーブル結束構造１０が形成される。
【００２０】
ケーブル結束構造１０の主要部分を構成するのは、回路基板１に打ち込まれるジャンパー線１１である。ジャンパー線１１は両側のコネクタソケット２を結ぶ線と直交する形で配置されるものであり、しかも１本ではなく、所定間隔を置いて２本平行に配置される。ジャンパー線１１の両端は回路基板１に形成したスルーホール３に打ち込まれた後、回路基板１の下面でクリンチされ、さらに、回路基板１の下面のランド部に半田付けされる。
【００２１】
回路基板１の中で、ジャンパー線１１の左端を受ける箇所はケーブル結束構造１０の一部をなす可分離部１２となっている。可分離部１２は割基板構造で残余の基板本体から区画されており、上から見ると左半分が半円部１３、右半分が矩形部１４になっていて、半円部１３の中央が細いブリッジ部１５で基板本体とつながっている。ブリッジ部１５の箇所を除き、可分離部１２は回路基板１を貫通する溝４で囲まれている。矩形部１４の、半円部１３と反対の方を向く縁には、ノッチ１６が所定間隔で２個形成されている。
【００２２】
ケーブル結束構造１０による結束手順は次の通りである。まず、図４、５に見られるよブリッジ部１５を破断して可分離部１２を回路基板１から分離し、可分離部１２に接続した側のジャンパー線１１の端をフリーにする。そして可分離部１２を回路基板１から浮かせる。それから回路基板１の両側のコネクタソケット２にフラットケーブル２０の両端のコネクタプラグ２１を接続し、フラットケーブル２０が回路基板１の表面を横切る形にする。
【００２３】
続いて、可分離部１２を先に立てる形でジャンパー線１１によりフラットケーブル２０を上から下に一巻きし、ループを形成する（図６、７参照）。フラットケーブル２０の下を通ってきた可分離部１２を２本のジャンパー線１１の間に挿通させる。この時、可分離部１２の半円部１３、すなわち縁が凸形状になっている側がジャンパー線１１にあてがわれるため、２本のジャンパー線１１は自然に両側に押し分けられることになり、挿通がスムーズに進む。
【００２４】
可分離部１２が２本のジャンパー線１１の間を通り抜けた後、ノッチ１６にジャンパー線１１を１本ずつ係合させる（図８、９参照）。これにより、２本のジャンパー線１１の間隔が元通りになるとともに、ジャンパー線１１の形成するループがほどけなくなる。
【００２５】
ジャンパー線１１にノッチ１６を係合させた状態で、可分離部１２を図の左方にスライドさせる。するとループが引き絞られ、フラットケーブル２０はジャンパー線１１で結束される。ジャンパー線１１の一端は基板本体に接続されているので、フラットケーブル２０は回路基板１に対し振れなくなる。このようにジャンパー線１１は片持ち梁形式でフラットケーブル２０を支持するので、適当な剛性を持つ線材をジャンパー線１１に使用する。
【００２６】
上記のように、一端がフリーになったジャンパー線１１でケーブルを結束するので、フラットケーブルか束ねたケーブルかといったケーブルの形式や、ケーブルの端にコネクタプラグが接続されているかどうかに関係なく、自由にジャンパー線１１でケーブルを巻いて固定することができる。回路基板１の上での作業は定位置であり、どこで結束するのかまごつくことがないうえ、結束作業に熟練を要さないので、作業者が代わったとしても作業品質を一定に保つことができる。また、ケーブルを外す必要があるときは、上記と逆の手順で簡単にケーブルを解放することができる。
【００２７】
以上本発明の実施形態につき説明したが、発明の主旨を逸脱しない範囲でさらに種々の変更を加えて実施することができる。
【産業上の利用可能性】
【００２８】
本発明は電子機器全般の回路基板に利用可能である。
【図面の簡単な説明】
【００２９】
【図１】回路基板の平面図
【図２】回路基板の断面図
【図３】回路基板の部分拡大平面図
【図４】ケーブル結束途中の回路基板の平面図
【図５】図４に対応する回路基板の断面図
【図６】ケーブル結束作業がさらに進んだ状態の回路基板の平面図
【図７】図６に対応する回路基板の断面図
【図８】ケーブル結束作業がさらに進んだ状態の回路基板の平面図
【図９】図８に対応する回路基板の断面図
【符号の説明】
【００３０】
１    回路基板
２    コネクタソケット
３    スルーホール
４    溝
１０  ケーブル結束構造
１１  ジャンパー線
１２  可分離部
１６  ノッチ
２０  フラットケーブル
２１  コネクタプラグ
【図１】
2008071849.tif 000003
【図２】
2008071849.tif 000004
【図３】
2008071849.tif 000005
【図４】
2008071849.tif 000006
【図５】
2008071849.tif 000007
【図６】
2008071849.tif 000008
【図７】
2008071849.tif 000009
【図８】
2008071849.tif 000010
【図９】
2008071849.tif 000011